(57)【要約】  本システム及び方法は、ユーザが見ることができるディスプレイを含む可視化装置を含むシステムに関する。また、システムは、視化装置に通信可能に接続されたコンピュータグラフィックス生成システムを含む。コンピュータグラフィックス生成システムは、プロセッサ及び該プロセッサに通信可能に接続されたメモリ素子を含み、メモリ素子は、プロセッサに、現実世界画像、拡張現実画像、又はこれらの組み合わせを含む環境を生成させる命令を格納するようになっている。また、メモリ素子は、プロセッサに、環境に関連するデータを受け取って分析して、適切なテキスト位置を決定し、適切なテキスト位置上の少なくとも一部に基づいて、テキストのための適切なテキスト特性を決定し、適切なテキスト位置で環境上に適切なテキスト特性を有する前記テキストを重ね合わせる命令を格納するようになっている。【選択図】図１
2021509612.tif 000002
【特許請求の範囲】
【請求項１】
システムであって、該システムは、
ユーザが見ることができるディスプレイを備える可視化装置と、
前記可視化装置に通信可能に接続されたコンピュータグラフィックス生成システムと、
を含み、
前記コンピュータグラフィックス生成システムは、プロセッサ及び該プロセッサに通信可能に接続されたメモリデバイスを含み、該メモリデバイスは、該プロセッサに、
現実世界画像、拡張現実画像、又はこれらの組み合わせを含む環境を生成し、
適切なテキスト位置を決定するために前記環境に関連するデータを受け取って分析し、
前記適切なテキスト位置に少なくとも部分的に基づいてテキストのための適切なテキスト特性を決定し、
前記適切なテキスト位置で前記環境上に前記適切なテキスト特性を有する前記テキストを重ね合わせる、
ようにさせるよう構成された命令を格納するように構成される、
システム。
【請求項２】
前記適切なテキスト特性は、前記テキストのサイズ、前記テキストの色、前記テキストのフォント、前記テキストを表示する持続時間、又はこれらの組み合わせを含む、請求項１に記載のシステム。
【請求項３】
前記命令は、前記プロセッサに、前記適切なテキスト位置でのそれぞれの背景色に基づいて前記テキストの色を決定させるように構成される、請求項２に記載のシステム。
【請求項４】
前記環境に関連するデータは、前記環境内の前記現実世界画像又は前記拡張現実画像の各々の位置、サイズ、又は重要度を含む、請求項１に記載のシステム。
【請求項５】
前記命令は、前記プロセッサに、前記環境内の前記現実世界画像又は前記拡張現実画像の各々の重要度に基づいて、前記環境内の前記現実世界画像又は前記拡張現実画像の各々のランク付けを行わせるように構成される、請求項４に記載のシステム。
【請求項６】
前記命令は、前記プロセッサに、前記適切なテキスト位置を決定させるように構成され、該適切なテキスト位置は、比較的低い計算された重要度を有する前記現実世界画像又は前記拡張現実画像のうちの１又は２以上を覆い、かつ比較的高い計算された重要度を有する前記現実世界画像又は前記拡張現実画像のうちの１又は２以上をユーザが見えるようにすることができる位置である、請求項５に記載のシステム。
【請求項７】
前記命令は、前記プロセッサに、タイムスタンプに連携して前記テキストを更新させるように構成され、該タイムスタンプは、前記プロセッサが前記テキストを重ね合わせための開始時間及び終了時間を提供する、請求項１に記載のシステム。
【請求項８】
前記命令は、前記プロセッサに、前記ユーザの注視方向を決定させ、かつ該注視方向に少なくとも部分的に基づいて前記適切なテキスト位置を決定させるように構成される、請求項１に記載のシステム。
【請求項９】
前記命令は、前記プロセッサに、前記ユーザの注視方向を決定させ、かつ該注視方向に少なくとも部分的に基づいて前記適切なテキスト特性を決定させるように構成される、請求項１に記載のシステム。
【請求項１０】
前記命令は、前記プロセッサに、スピーカによって提供されるナレーションに合うように前記テキストに関する内容を決定させるように構成される、請求項１に記載のシステム。
【請求項１１】
前記ユーザが装着するように構成された可視化装置を含む、請求項１に記載のシステム。
【請求項１２】
可視化装置のディスプレイ上にテキストを重ね合わせる方法であって、
１又は２以上のプロセッサによって、前記ディスプレイ上に、現実世界画像、拡張現実画像、仮想現実画像、又はこれらの組み合わせを含む環境を生成するステップと、
前記１又は２以上のプロセッサによって、適切なテキスト位置を決定するために前記環境に関連するデータを分析するステップと、
前記１又は２以上のプロセッサによって、前記適切なテキスト位置に少なくとも部分的に基づいてテキストに関する適切なテキスト特性を決定するステップと、
前記１又は２以上のプロセッサによって、前記適切なテキスト位置で、前記ディスプレイ上の前記環境上に前記適切なテキスト特性を有する前記テキストを重ね合わせるステップと、
を含む、方法。
【請求項１３】
前記適切なテキスト特性は、前記テキストのサイズ、前記テキストの色、前記テキストのフォント、前記テキストを表示する持続時間、又はこれらの組み合わせを含む、請求項１２に記載の方法。
【請求項１４】
前記環境に関連するデータは、前記環境内の前記現実世界画像、前記仮想現実画像、又は前記拡張現実画像の各々の位置、サイズ、又は重要度を含む、請求項１２に記載の方法。
【請求項１５】
前記１又は２以上のプロセッサによって、タイムスタンプ、前記ユーザによる動作、前記ユーザの注視方向の変化、前記環境の中の現実世界画像、拡張現実画像、仮想現実画像の変化、又はこれらの組み合わせに基づいて前記テキストを更新するステップを含む、請求項１２に記載の方法。
【請求項１６】
前記１又は２以上のプロセッサによって、前記ユーザの注視方向を決定するステップと、
前記１又は２以上のプロセッサによって、前記注視方向に少なくとも部分的に基づいて前記適切なテキスト位置を決定するステップと
を含む、請求項１２に記載の方法。
【請求項１７】
前記１又は２以上のプロセッサによって、前記注視方向に少なくとも部分的に基づいて前記適切なテキスト特性を決定するステップを含む、請求項１６に記載の方法。
【請求項１８】
ユーザが装着するように構成された可視化装置に通信可能に接続されたコンピュータグラフィックス生成システム内の１又は２以上のプロセッサによって実行可能な命令を格納する有形の非一時的コンピュータ可読媒体であって、該命令は、該１又は２以上のプロセッサに、
現実世界画像、仮想現実画像、拡張現実画像、又はこれらの組み合わせを前記可視化装置のディスプレイ上に表示することにより、該可視化装置によって前記ユーザに見える環境を生成し、
前記ユーザの注視方向を示す信号を受け取って分析し、
前記環境に関連するデータを受け取って分析し、
前記ユーザの前記注視方向を示す前記信号及び前記環境に関連するデータに少なくとも部分的に基づいて適切なテキスト位置を決定し、
前記適切なテキスト位置で、前記環境上にテキストを重ね合わせる、
ようにさせるよう構成される、有形の非一時的コンピュータ可読媒体。
【請求項１９】
前記命令は、前記１又は２以上のプロセッサに、前記適切なテキスト位置に少なくとも部分的に基づいて前記テキストのテキスト特性を決定させるように構成される、請求項１８に記載の有形の非一時的コンピュータ可読媒体。
【請求項２０】
前記命令は、前記１又は２以上のプロセッサに、前記注視方向に少なくとも部分的に基づいて前記適切なテキスト特性を決定させるように構成される、請求項１８に記載の有形の非一時的コンピュータ可読媒体。
【発明の詳細な説明】
【技術分野】
【０００１】
本開示は、一般に遊園地の分野に関する。より詳細には、本開示の実施形態は、遊園地アトラクションにおいて拡張及び仮想現実体験を提供するシステム及び方法に関する。
【背景技術】
【０００２】
遊園地及び／又はテーマパークは、遊園地の来客（例えば、家族及び／又はあらゆる年齢の人々）に楽しみを与えるのに有用な様々な娯楽アトラクション、レストラン、及び乗物を含む。遊園地の各エリアは、特定の観客を特異的に標的にした異なるテーマを有することができる。例えば、特定のエリアは、伝統的に子供たちにとって興味深いテーマを含むことができるが、他のエリアは、伝統的により大人の観客にとって興味深いテーマを含むことができる。一般に、このような遊園地に関連するテーマを有する場所は、アトラクション又はテーマ・アトラクションと呼ぶことができる。
【０００３】
テーマ・アトラクション(themed attractions)は、その大部分が特定のテーマに関連する固定式の設備、建物レイアウト、支柱、装飾などを利用して構築することができる。同じ場所に異なるテーマが構築される状況において、より古いテーマに関連する特徴部は、より新しいテーマに関連する特徴部に置き換えられることになる。場所のテーマの複雑性により、このことは、非常に難しく、装飾、家具、設備、支柱などを取り除く又は置き換える際に時間がかかることが分かっている。実際には、特定のタイプのアトラクションに関して、比較的複雑なテーマは、来客により没入できる体験を提供するためにより普通になってきている。
【発明の概要】
【発明が解決しようとする課題】
【０００４】
現在、伝統的な手法に対して柔軟かつ効率的な方法で、アトラクションテーマを変更することができるアトラクションを含むこと、又はこのようなアトラクションに特定のテーマ特徴部を組み込むこと又は取り除くことが望ましいということが認識されている。また、現在、アトラクションの中での来客の没入体験を強化すること、及び来客のために個人化された又はカスタマイズされた体験を提供することが望ましいことが認識されている。
【課題を解決するための手段】
【０００５】
当初クレームに記載された主題に相当する特定の実施形態は以下に要約される。これらの実施形態は、本開示の範囲を限定することが意図されておらす、むしろこれらの実施形態は、特定の開示された実施形態の概要を提示することのみが意図されている。実際には、本開示は、以下に記載の実施形態に類似する又はそれとは異なる場合がある種々の形態を包含することができる。
【０００６】
一実施形態において、システムは、ユーザが見ることができるディスプレイを含む可視化装置(visualization device)を含む。また、システムは、可視化装置に通信可能に接続されたコンピュータグラフィックス生成システム(computer graphics generation system)を含む。コンピュータグラフィックス生成システムは、プロセッサ及び該プロセッサに通信可能に接続されたメモリデバイスを備え、メモリデバイスは、プロセッサに、現実世界画像(real-world images)、拡張現実画像(augmented-reality images)、又はこれらの組み合わせを含む環境を生成させる命令を格納するようになっている。また、メモリデバイスは、プロセッサに、環境に関連するデータを受け取って分析して、適切なテキスト位置(text location)を決定し、適切なテキスト位置に少なくとも部分的に基づいて、テキスト(text)のための適切なテキスト特性(textual characteristics)を決定し、適切なテキスト位置で環境上に適切なテキスト特性を有する前記テキストを重ね合わせさせる命令を格納するようになっている。
【０００７】
一実施形態おいて、方法は、１又は２以上のプロセッサによって、現実世界画像、拡張現実画像、仮想現実画像、又はこれらの組み合わせを含む環境を生成するステップを含む。また、方法は、１又は２以上のプロセッサによって、環境に関連するデータを分析して適切なテキスト位置を決定するステップを含む。さらに、方法は、１又は２以上のプロセッサによって、適切なテキスト位置に少なくとも部分的に基づいてテキストに関する適切なテキスト特性を決定するステップと、１又は２以上のプロセッサによって、適切なテキスト位置で、ディスプレイ上の環境上に適切なテキスト特性を有するテキストを重ね合わせるステップ(overlaying)を含む。
【０００８】
一実施形態おいて、有形の非一時的コンピュータ可読媒体は、ユーザが装着するように構成された可視化装置に通信可能に接続されたコンピュータグラフィックス生成システム内の１又は２以上のプロセッサによって実行可能な命令を格納する。命令は、１又は２以上のプロセッサに、現実世界画像、仮想現実画像、拡張現実画像、又はこれらの組み合わせを前記可視化装置のディスプレイ上に表示することで、可視化装置によってユーザに見える環境を生成させる。また、命令は、ユーザの注視方向を示す信号を受け取って分析し、環境に関連するデータを受け取って分析し、ユーザの注視方向を示す信号及び環境に関連するデータに少なくとも部分的に基づいて適切なテキスト位置を決定し、適切なテキスト位置で、環境上にテキストを重ね合わせるようにさせる。
【０００９】
本開示の上記及び他の特徴、態様、及び利点は、同様の符号が同様の要素を示す添付図面を参照して以下の詳細な説明を読むことによってより良く理解することができる。
【図面の簡単な説明】
【００１０】
【図１】一実施形態による、拡張現実（ＡＲ）又は仮想現実（ＶＲ）ゴーグルとして使用するための可視化装置及びコンピュータグラフィックス生成システムを示す。
【図２】一実施形態による、図１の可視化装置の分解斜視図である。
【図３】一実施形態による、他の可視化装置の分解斜視図である。
【図４】一実施形態による、図１の可視化装置によって提供された、様々なＡＲ／ＶＲ画像並びにテキストを有する環境を含む絶叫マシンの斜視図である。
【図５】一実施形態による、ユーザが図４の絶叫マシンに参加した際に図１の可視化装置を装着するユーザによって可視化することができる環境を示す。
【図６】一実施形態による、図１の可視化装置を装着するユーザによって可視化することができる、ある時の環境を示す。
【図７】一実施形態による、図１の可視化装置を装着するユーザによって可視化することができる、他の時の環境を示す。
【図８】一実施形態による、図１の可視化装置で見ることができる図５の環境の上にテキストを重ね合わせることで、強化された体験を与えるために使用することができるプロセスのフローチャートを示す。
【発明を実施するための形態】
【００１１】
以下に本開示の１又は２以上の特定の実施形態を説明する。これらの実施形態の簡潔な説明を提示する目的で、実際の実施構成の全ての特徴部は、明細書に記載されない場合がある。何らかのエンジニアリング又は設計プロジェクトなどの何らかのこのような実際の実施構成の開発において、実施構成毎に様々であろうシステム関連及びビジネス関連の制約の順守などの、多数の実施構成特有の決定を行って開発者の特定の目的を実現する必要があることを理解されたい。さらに、このような開発努力は、複雑で時間がかかるかもしれないが、それでも本開示の利点を利用できる当業者にとって設計、製作、及び製造を行う定期作業であろうことを理解されたい。
【００１２】
本実施形態は、遊園地又はテーマパークに関連するアトラクションの一部として、拡張現実（ＡＲ）体験、仮想現実（ＶＲ）体験、複合現実（例えば、ＡＲ／ＶＲの組み合わせ）体験、又はこれらの組み合わせを提供するシステム及び方法に関連する。一実施形態において、システム及び方法は、ＡＲ体験、ＶＲ体験、又は複合現実体験を強化するためにテキスト（例えば、サブタイトル）を提示することに関連する。特定の実施形態は、検討を容易にするために遊園地のアトラクシを参照して記載されるが、アトラクションは、必ずしも遊園地のエリアに限定されないことを理解されたい。実際には、本開示の態様は、例えば、遊園地に関連したホテル、語学教育設備、音楽コンサート会場、又は遊園地及び／又はホテルへ又はそこから来客を輸送する車両内などの遊園地の境界を越えた場所での実施にも関連する。
【００１３】
上記の点を考慮して、遊園地の中の特定のアトラクションは、１又は２以上の来客が周囲の環境を見るのを可能にできる乗物車両を含むことができる。１つの実施形態において、乗物車両は、乗物経路（例えば、トラック又はレール）に沿って進むことができる。１又は２以上の来客は、移動中に乗物車両を駆動するローラが発する音、ホーン作動音、他の来客の叫び声などの様々な音に晒されるので、何らかの１つの特定の音を聞き取るのは難しい場合がある。さらに、ＡＲ、ＶＲ、又は複合現実体験は、１又は２以上の来客が乗物経路に沿って進む間に、ナレーションを行う（例えば、スピーカーシステムによって物語を伝える又は話す）様々なキャラクター（例えば、仮想アニメキャラクター）を含むことができる。しかしながら、様々な騒音（例えば、ローラ、来客の叫び声）は、一部の来客がキャラクターの話すナレーションを聞き取るのを困難にする場合がある。従って、ナレーション又は何らかの他の情報は、例えば、このような騒音により音で伝えることができない内容を１又は２以上の来客に提示するテキストで来客に伝えることができる。実際には、ＡＲ、ＶＲ、又は複合現実体験に関連するテキスト又はサブタイトルを（例えば、眼鏡又は電子ゴーグル上に）表示すると、１又は２以上のユーザ（例えば、来客）は、ナレーションを解釈するか又は様々なメッセージの一部を受け取ることができ（例えば、テキストで）、これにより、音を聞くことに関連する何らかの困難性にもかかわらず１又は２以上のユーザに情報を伝えることができる。このような体験は、遊園地の来客（例えば、ユーザ）にカスタマイズ可能で個人用及び／又は相互作用的とすることができる、アトラクションで満たされた体験をもたらすことができる。
【００１４】
１つの実施形態において、特定のハードウェア構成、ソフトウェア構成（例えば、アルゴリズム構造）の組み合わせ、並びに特定のアトラクション特徴部(attraction features)は、ＡＲ、ＶＲ、及び複合現実体験にテキスト（例えば、サブタイトル）を与えるために利用することができる。例えば、一実施形態において、システムは、装着型機器（例えば、電子ゴーグル又は眼鏡などの可視化装置）などの視聴装置を含むことができ、これにより遊園地の来客及び従業員は、拡張、仮想、又は複合現実シーンを見ることができる。さらに、装着型機器は、テキストと、ＡＲ、ＶＲ、又は複合現実体験の他の特徴部(features)とを表示する表面を含むことができる。特定の実施構成は、例えば、遊園地に関連する環境内で仮想的に特徴部を取り除く又は付加して、同じ乗物内で異なる体験を得るために調節可能な仮想環境を提供して、来客が、体験に関する重要な特徴部の視界を妨げることなくＡＲ、ＶＲ、又は複合現実体験に関連するテキストを受け取るのを可能にすることなどで来客（例えば、ユーザ）体験を強化するために利用することができる。１つの実施形態において、装着型機器は、ユーザに対してＡＲ、ＶＲ、又は複合現実シーン上でテキストを提示することができる。例えば、ユーザが見るシーンは、動物などの様々な仮想又は現実物体を含むことができる。１つの実施形態において、装着型機器は、仮想又は現実物体（例えば、動物）に関するテキストを提示することができる。例えば、装着型機器は、動物種、動物の年齢、又は動物に関する情報に関するテキストを提示することができる。１つの実施形態において、装着型機器に通信可能に接続したコンピュータグラフィックス生成システム（例えば、制御システム）は、テキストを表示する適切な位置を決定することができるので、テキストは、読みやすく、制御システムが重要と決定した特徴部の視界を妨げないようになっている。
【００１５】
さらに、特定のデータを装着型機器から収集して、例えば、テキストを適切な場所に提示するためにもしくはショーの効果をもたらすために又はショーを調整するために、計算能力及び／又は他のリソースのより効率的な使用を可能にすることができる。１つの実施形態において、ユーザ可視化データを収集することができる。例えば、コンピュータグラフィックス生成システムは、仮想又は現実物体に関連するテキストの表示を開始する前に、乗物内のユーザが仮想又は現実物体（例えば、特定の方向の）を見ていたか否かを決定することができる。また、装着型機器は、乗物オペレータのヘッドアップディスプレイ（ＨＵＤ）として機能するように用いることができる。追加的に又は代替的に、特定の遊園地アトラクションは、ＡＲ、ＶＲ、又は複合現実シーンを強化するためにテキストを提示することができ、ユーザが遊園地の様々なエリア又はその向こう側を見るために使用することができる固定式視聴装置（例えば、双眼鏡）を含むことができる。
【００１６】
香り放出装置、スピーカ、作動可能作用装置などの追加の遊園地装置は、視聴装置と協働して、強化されたユーザ体験を提供するように制御することができる。このように、ユーザが探索する環境は、ユーザの強化された又は仮想体験に反応するように見える。さらに、１つの実施形態において、特徴部は、ユーザに対して聴覚、嗅覚、及び／又は触覚入力を提供して視覚的なＡＲ、ＶＲ、又は複合現実体験を完全にするために、装着物品（例えば、電子ゴーグル又は眼鏡）に組み込むことができる。
【００１７】
説明を助けるために、図１は、ユーザ１２（例えば、来客、遊園地従業員）が制御されたＡＲ、ＶＲ、又は複合現実シーン体験する（例えば、見る、相互作用する）のを可能にするように構成されたＡＲ／ＶＲシステム１０の一実施形態を示す。一実施形態によれば、ユーザ１２は、一実施形態において電子眼鏡１６（例えば、ＡＲ／ＶＲ眼鏡、ゴーグル）とすることができる可視化装置１４を購入すること又はそれが提供されることができる。以下に詳細に説明するように、可視化装置１４は、ヘッドバンドとして例示され少なくとも電子眼鏡１６の一部を収容するように構成された装着部１８を含むことができる。
【００１８】
可視化装置１４は、ＡＲ体験、ＶＲ体験、複合現実（例えば、ＡＲ／ＶＲの組み合わせ）体験、コンピュータ利用現実体験、これらの組み合わせ、又はユーザのための他の類似の非現実的環境を含むことができる非現実的環境２０をもたらすために単独で又は他の特徴部と組み合わせて使用することができる。詳細には、例えばゲームの間に、遊園地の特定の領域の入口で、遊園地に関連するホテルへの乗車の間に、ホテルで、などの乗車又は他の所定のアクティビティの期間を通じて、可視化装置１４は、ユーザ１２により装着することができる。
【００１９】
可視化装置１４は、特定の仮想特徴部(virtual features)が透明表面（例えば、眼鏡）の上に重ね合わされた装置を含むことができ、若しくは、仮想特徴部が実質的に実時間ビデオの上の重ね合わされた装置を含むことができ、又はこれらを組み合わせたものを含むことができる（例えば、可視化装置１４は、透明ユーザ可視化と不透明ユーザ可視化との間で切り替えることができる）。一実施形態において、可視化装置１４は、仮想特徴部が現実の物体上に重ね合わされるように、ユーザ１２の片目又は両目に向かって光を投影するように構成された光投影特徴部などの特徴部を含むことができる。このような可視化装置１４は、網膜ディスプレイを含むと見なすことができる。
【００２０】
従って、一実施形態において、ユーザ１２は、特定の仮想特徴部が電子眼鏡１６（又はユーザ１２の目）の表面上に重ね合わされた状態で、実質的に透明な電子眼鏡１６のセットを通して現実世界環境を見ることができるので、ユーザ１２は、仮想特徴部が現実世界環境に統合されたように認識することができる。代替的に又は追加的に、一実施形態において、ユーザ１２は、仮想特徴部が重ね合わされた現実世界環境の実時間ビデオを見ることができる。
【００２１】
一実施形態において、可視化装置１４を装着した状態で、ユーザ１２は、環境２０で完全に取り囲まれていると感じることができ、さらに環境２０を特定の仮想特徴部を含む現実世界の物理的環境と認識することができる。詳細には、環境２０が、１又は２以上のＡＲ／ＶＲ画像２４（例えば、仮想拡張部(virtual augmentations)又は仮想特徴部）と電子的に統合された現実世界画像２２を含む実時間ビデオ（例えば、実時間又はほぼ実時間で取り込まれたビデオ）とすることができるように、可視化装置１４は、ユーザ１２の視界を（例えば、不透明画面を用いて）完全に制御することができる。一般に、現実世界画像２２は、可視化装置１４を装着しない場合であってもユーザ１２が見ることになるものを示す（例えば、現実世界画像２２は、現実世界環境内の特徴部の画像である）。用語「実時間(real-time)」は、画像が実際の観察時間に実質的に近いタイムフレームで取り込まれた及び／又は提供されたことを示す。実際には、環境２０が、ＡＲ／ＶＲ画像２４が透明表面上に又はユーザ１２の目の上に重ね合わされた実環境であるように、可視化装置１４は、ユーザ１２の視界の一部分のみを制御することができる（例えば、透明画面を用いて）。本開示の一実施形態によれば、ＡＲ／ＶＲ画像２４は、現実世界の物体を（もはや存在しないように又は消去されたように見えるよう）覆うように機能することができる（例えば、現実世界の物体が、仮想物体又は仮想環境表現(virtual environmental representation)で完全に又は部分的にふさがれる）。さらに、検討を容易にするために、本明細書に開示された特定の実施例は現実世界画像２２に関連するが、本明細書に開示されたいずれの手法も可視化装置１４の透明眼鏡を通して見ることができる現実世界環境上にＡＲ／ＶＲ画像２４を重ね合わせるために適合することができることを理解されたい。従って、本明細書の特定の実施例で参照される現実世界画像２２は、現実世界環境の実在の特徴部(real features)で置換可能であると見なすべきである。ＡＲ／ＶＲ画像２４が現実世界画像２２の上に、又は透明眼鏡を通して見られる現実世界環境の実在する特徴部の上に重ね合わされる場合、ＡＲ／ＶＲ画像２４は、ＡＲ画像と見なすことができ、さらにＡＲ体験を引き起こすと見なすことができる。ＡＲ／ＶＲ画像２４が環境２０の全てを形成する場合（例えば、現実世界画像２２を表示することなく又は現実世界環境の実在の特徴部の可視化を可能にすることなく）、ＡＲ／ＶＲ画像２４は、ＶＲ画像と見なすことができ、さらにＶＲ体験を引き起こすと見なすことができる。上述のように、可視化装置１４は、異なるタイプの可視化の間で切り替えることができる。
【００２２】
さらに、１つの実施形態において、可視化装置１４は、環境２０を生成すると同時にユーザ１２にテキスト２５を提示することができる。詳細には、可視化装置１４は、テキスト２５を現実世界画像２２及び／又はＡＲ又はＶＲ画像２４に統合して、環境２０を生成するか又は完成することができる。一実施形態において、以下に詳細に説明するように、テキスト２５は、ユーザ１２に対して現実世界画像２２、ＡＲ又はＶＲ画像２４、又は環境２０内の実在の特徴部に関連する情報を提示することができる。１つの実施形態において、テキスト２５は、現実世界画像２２、ＡＲ又はＶＲ画像２４、又は環境２０内の実在の特徴部によって伝えられることが意図された吹き出しで描写されたテキストコンテンツとして提示することができる。１つの実施形態において、テキスト２５を提示する吹き出しは、可視化装置１４又は乗物システムによって提供された音に合わせることができる。
【００２３】
可視化装置１４の切り取り部に示すように、環境２０の光景の生成を助けるために、可視化装置１４は、プロセッサ２６及びメモリ２８などの処理回路を含むことができる。プロセッサ２６は、メモリ２８に作動可能に接続し、例えば、現実世界画像２２及び／又は１又は２以上のＡＲ／ＶＲ画像２４を表示すると同時にテキスト２５を生成するといった本開示の手法を行うための命令を実行することができる。これらの命令は、プログラム中にエンコードすること、又はメモリ２８及び／又は他の記憶装置などの有形の非一時的コンピュータ可読媒体に格納されたコードとすることができる。プロセッサ２６は、汎用プロセッサ、システムオンチップ（ＳｏＣ）デバイス、特定用途向け集積回路（ＡＳＩＣ）、又はいくつかの類似のプロセッサ構成とすることができる。メモリ２８及びプロセッサ２６は一緒になって、ＡＲ／ＶＲコンピュータ制御可視化システム４０（例えば、コンピュータグラフィックス生成システム）の全て又は一部を形成することができる。
【００２４】
１つの実施形態において、さらに詳細に示すように、可視化装置１４は、それぞれユーザ１２の左右の目に対応する一対のディスプレイ３０及び３２を含むこともできる（例えば、そうでない場合は眼鏡レンズが現れることになる場所の可視化装置１４の前面のフレームに設けることができる）。もしくは、統合されたディスプレイを用いることができる。それぞれのディスプレイ３０及び３２の各々は、非限定的な例として、その上にＡＲ／ＶＲ画像２４及びテキスト２５を重ね合わせることができる透明レンズを含むことができる（例えば、ユーザの現実世界環境の視界上に当該画像及びテキストを重ね合わせるために）。さらに、ディスプレイ３０及び３２は、表示面とすることができ、ＡＲ／ＶＲ画像２４及びテキスト２５を重ね合わせて環境２０を生成するのを助けるように構成された、それぞれの周囲に隣接して配置された特徴部（例えば、回路、発光体）を含むことができる。
【００２５】
追加的に又は代替的に、ディスプレイ３０及び３２は、不透明液晶ディスプレイ（ＬＣＤ）、不透明有機発光ダイオード（ＯＬＥＤ）ディスプレイ、又はユーザ１２に対して現実世界画像２２、ＡＲ／ＶＲ画像２４、及びテキスト２５を表示するのに有用な他の類似のディスプレイを含むことができる。一実施形態において、それぞれのディスプレイ３０及び３２の各々は、例えば、ユーザ１２が、実在の物理的現実世界環境（例えば、遊園地に関連するアトラクション）に重ね合わされたものとしてそれぞれのディスプレイ３０及び３２上に現れるＡＲ／ＶＲ画像２４及びテキスト２５を見るのを可能にするのに有用な、透視ＬＣＤ又は透視ＯＬＥＤディスプレイを含むことができる。
【００２６】
可視化装置１４のカメラ３４及び３６は、それぞれユーザ１２の視点に対応することができ、現実世界の実時間ビデオデータ（例えば、ライブビデオ）又は周囲光信号を取り込むために用いることができる。１つの実施形態において、単一のカメラを用いることができる。また、可視化装置１４は、ユーザの目の動きを追跡するための追加のカメラを含むことができ、このカメラは、コンピュータデバイス（例えば、コンピュータグラフィックス生成システム４０）と併せて使用される場合、以下に詳細に説明するように、テキスト２５を表示するための適切な場所、テキスト２５の適切なサイズ、テキスト２５の色、テキスト２５のフォントなどのテキスト特性を決定するのを助けることができる。詳細には、１又は２以上のセンサ３７は、注視方向、瞳孔の位置、焦点距離、及び／又は何らかの適切な目のパラメータを決定するためのデータを取り込むことができる視線追跡センサ（例えば、カメラ）とすることができる。一実施形態において、可視化装置１４は、ユーザ１２に音を提供する１又は２以上のスピーカ３５を含む。スピーカ３５は、ユーザ１２の耳の近くに位置することができる。可視化装置１４の通信特徴部３８(communication features)（例えば、無線送受信機３９を含む）は、処理のために実時間で又はほぼ実時間でプロセッサ２６及び／又はコンピュータグラフィックス生成システム４０にデータ（例えば、ビデオデータ、視線追跡データ、環境データ）を送ることができる。通信特徴部３８によって送られたデータは、例えば、それぞれのカメラ３４及び３６、及び／又はセンサ３７（例えば、視線追跡カメラ）によって取り込まれたデータを含むことができる。
【００２７】
図示のように、可視化装置１４は、コンピュータグラフィックス生成システム４０（例えば、遊園地内の）に無線ネットワーク４２（例えば、無線ローカルエリアネットワーク（ＷＬＡＮ）、無線広域ネットワーク（ＷＷＡＮ）、近距離無線通信（ＮＦＣ））経由で通信可能に接続することができる。代替的に又は追加的に、それぞれのカメラ３４及び３６を用いて取り込まれた実時間ビデオデータは、プロセッサ２６によって可視化装置１４上で処理することができることを理解されたい。さらに、プロセッサ２６に接続した通信特徴部３８（例えば、無線送受信機３９、入力／出力コネクタ）は、プロセッサ２６及びメモリ２８上に含まれた、更新されることになる及び／又は特定の用途のために構成されたファームウェア及び／又はソフトウェアを有効にすることができる。
【００２８】
可視化装置１４の通信特徴部３８は、可視化装置１４のセンサ３７によって取得したデータに基づいて取得した及び／又は導き出した方位データ、位置データ、視点データ（例えば、焦点距離、方位、ポーズ）、動作追跡データなどを送ることができる。このようなセンサ３７は、方位及び位置センサ（例えば、加速度計、磁気計、ジャイロスコープ、衛星利用測位システム（ＧＰＳ）受信機）、動作追跡センサ（例えば、電磁気及び半導体動作追跡センサ）、慣性測定装置（ＩＭＵ）、視線追跡センサなどを含むことができる。
【００２９】
一実施形態において、可視化装置１４の特徴（例えば、幾何学的態様又は印）は、監視システム４１（例えば、１又は２以上のカメラ）で監視して可視化装置１４、ひいてはユーザ１２の位置、場所、方位などを決定することができる。監視システム４１は、コンピュータグラフィックス生成システム４０に通信可能に接続し、ユーザ１２（又は複数のユーザ）の位置、場所、方位などを特定するために使用することができる。
【００３０】
コンピュータグラフィックス生成システム４０は、プロセッサ４４（例えば、汎用プロセッサ又は他のプロセッサ）などの処理回路及びメモリ４６を含み、可視化装置１４又は監視システム４１から受信した、実時間（又はほぼ実時間）ビデオデータ（例えば、ライブビデオ）、方位及び位置データ、視点データ、環境データ、又はこれらの何らかの組み合わせを処理することができる。詳細には、コンピュータグラフィックス生成システム４０は、このデータを使用して、ＡＲ／ＶＲ画像２４及びテキスト２５を現実世界画像２２に記録する基準枠を生成すること、又は実在する物理的環境の上にＡＲ／ＶＲ画像２４及びテキスト２５を組み付ける（ｉｍｐｏｓｅ）ことができる。１つの実施形態において、コンピュータグラフィックス生成システム４０は、さらにこのデータを使用して、テキスト２５を環境２０に組み付ける前にテキスト特性（例えば、可視化装置１４を通して見える環境２０に対するテキスト２５の適切な位置、テキスト２５のサイズ、テキスト２５の色、テキスト２５のフォント、テキスト２５の輝度又は明度、及び／又はテキスト２５を表示する期間）を決定することができる。詳細には、方位データ、位置データ、視点データ、動作追跡データなどに基づいて生成された基準枠を用いて、グラフィックス生成システム４０は、その後、ＡＲ／ＶＲ画像２４の視界（ｖｉｅｗ）を描画してテキスト２５を組み込む。一実施形態において、方位データ、位置データ、視点データ、動作追跡データなどに基づいて生成した基準枠を用いて、コンピュータグラフィックス生成システム４０は、テキスト２５を表示するのに適した場所を決定することができる。一実施形態において、グラフィックス生成システム４０は、時間的及び空間的に現実世界環境に相応するやり方でＡＲ／ＶＲ画像２４、テキスト２５、及び現実世界画像２２の視界を描画することができる。コンピュータグラフィックス生成システム４０は、ユーザ１２のそれぞれの方位、位置、及び／又は動きの変化を反映するためにテキスト２５の描画を周期的に更新（例えば、実時間で又はほぼ実時間で）することができる。例えば、コンピュータグラフィックス生成システム４０は、注視方向（例えば、ユーザ１２が目をやる方向）を特定することができ、さらに注視方向に実質的に直交する平面を決定するために計算（例えば、最小二乗近似及び特異値分解）を行うことができる。コンピュータグラフィックス生成システム４０は、この平面上にテキスト２５を表示することができる。一実施形態において、コンピュータグラフィックス生成システム４０は、各ユーザ（又は、少なくとも一部のユーザ）が対応する可視化装置１４を有する場合に、複数のユーザ（例えば、乗物の乗客、共用ゲームのプレーヤー）に対応する当該データを追跡することができる。
【００３１】
上記のように、１つの実施形態において、可視化装置１４は、複数の構成要素を含み、一般に、ユーザ１２の頭部に装着するように構成された電子眼鏡１６を含むことができる。電子眼鏡１６の様々な異なる構成及び実施構成を使用することができ、この場合、異なる構成は、異なるユーザの異なるサイズに上手く適合するように異なるサイズ及び形状を有することができ、並びに異なる実施構成に適合するように異なる内部構成要素（例えば、通信特徴部、変換器、ディスプレイ）を有することができる。
【００３２】
電子眼鏡１６に対するさらなる適応性及び支持をもたらすために、可視化装置１４の装着部１８は、様々な形態をとることができ、その例示的な実施形態が図２及び３に示されている。図２において、可視化装置１４は、装着部１８としてのヘッドバンドを含む。装着部１８のこのような実施形態は、ユーザ１２に快適性を与えながらユーザ１２の動きに適応するように構成された様々な材料（例えば、弾性材料、スエットウィッキング材料、詰め物）を含むことができる。現在、電子眼鏡１６の電子的構成要素を危険にさらすことなく適宜装着部１８を洗うことを可能にするために、別個の装着部１８及び電子眼鏡１６を有することが望ましいであろうことが認識されている。一実施形態において、装着部１８は、１又は２以上の電子的構成要素を組み込むことができる。それに応じて、装着部１８内の電子的構成要素は、損傷を防ぐために環境から離れて実質的に密封することができる。
【００３３】
一実施形態において、図２の装着部１８は、電子眼鏡１４を受け入れて、使用時にユーザ１２の目に対する電子眼鏡１４の位置を維持するための受け領域６０を含む。この関連で、受け領域６０は、電子眼鏡１６のディスプレイ３０、３２の周辺の周りに固定可能な中央部６２、並びに電子眼鏡１６のアーム６６を取り囲む（例えば、部分的に又は完全に）ように構成された側面部６４を含むことができる。
【００３４】
受け領域６０の中央部６２は、ユーザ１２の頭部に対して適度な圧縮力を与えながら（電子眼鏡１６の位置をメンテナンスするために）、ユーザ１２に快適性をもたらすことができる詰め物を含むことができる。一実施形態において、中央部６２は、皮膚に対して適切な安定性及び快適性の組み合わせをもたらす摩擦係数を有する１又は２以上の材料を含むことができる。例えば、眼鏡の鼻領域に一般に使用されるゲル材が適切であろう。
【００３５】
図３の一実施形態に示すように、装着部１８は、ヘッドバンドに加えて又はヘッドバンドの代わりに他の特徴部を含むことができる。図示のように、装着部１８は、ユーザ１２の頭部にかぶる帽子７０、並びに図２で説明したヘッドバンドに類似する特徴部を含む。一実施形態において、図示のように、帽子７０は、固定領域７２を含むことができ、ここでは帽子７０がヘッドバンド部７４と重なり合う。固定領域７２は、帽子７０とヘッドバンド部７４との間の固定を可能にするように構成された、面ファスナー、かぎホックファスナー、ボタン、マグネットストリップなどの閉鎖機構を含むことができる。このように、帽子７０はヘッドバンド部７４から分離可能であり、これにより、これらは別個に使用すること又は別個に洗うことができる。もしくは、一実施形態において、ヘッドバンド部７４は、帽子７０から容易に取り外しできないように帽子７０と一体にすることができる（例えば、帽子７０に縫い込まれる）。
【００３６】
一実施形態において、帽子７０はひさし７６を含み、これはユーザの目を保護するだけでなく、電子眼鏡１６及びその関連のディスプレイ３０、３２を太陽、天井照明などの強い照明光源から保護する働きをする。例えば、ひさし７６は、ディスプレイ３０、３２が光の反射に基づいて作動する、及び／又はこれが透明又は半透明である用途では特に有用であろう。実際には、ひさし７６は、ディスプレイ３０、３２上に描画されるテキスト２５の視認性を改善するために、現実世界背景に対するＡＲ／ＶＲ画像２４の感知される視覚コントラストを高めるのを助けることができる（例えば、照明光源からの望ましくない光を遮光することで）。
【００３７】
図３の実施形態に限定されないが、図３の例示的な可視化装置１４は、電子眼鏡１６のディスプレイ３０、３２の上に位置するように配置されたディスプレイカバー７８を含む。ディスプレイカバー７８は、ディスプレイ３０、３２を物理的誤用から保護し、テキスト２５及びＡＲ／ＶＲ画像２４の強化されたコントラスト及び可視化のため、光学フィルタリングのためなどのある程度の不透明性をもたらす、ディスプレイ３０、３２用のシェードを備えることができる。ディスプレイカバー７８は、ディスプレイカバー７８を電子眼鏡１６に取り外し可能に取り付けるように構成されたクリップ８０などの何らかの適切な固定機構を含むことができる。仮着接着剤及び／又は面ファスナーなどの他の固定機構を使用することができる。
【００３８】
上記に鑑みて、図４に概略的に示すように、ＡＲ／ＶＲシステム１０が遊園地９０で使用される状況の一実施形態を説明することを有用であろう。図４は、一実施形態による、図１の可視化装置１４によって提供される様々なＡＲ／ＶＲ画像２４を有する環境２０を含む絶叫マシン９２の斜視図である。例示するように、遊園地９０は、絶叫マシン９２、遊園地モール施設９４（例えば、ゲームエリア、ホテル、レストラン、土産物店など）、及び追加のアミューズメントアトラクション９６（例えば、観覧車、ダークライド、マンガキャラクター、又は他のアトラクション）などの現実世界特徴部(real-world features)を含むことができる。一実施形態において、絶叫マシン９２は、ローラーコースター又は他の類似の絶叫マシンを含むことができ、ひいては、閉ループトラック又は閉ループトラックシステム９８（例えば、何マイルものトラック９８）を含むことができる。トラック９８は、例えば、乗物乗客１０２、１０４、１０６、１０８（１又は２人以上は図１のユーザ１２とすることができる）が絶叫マシン９２に乗車した場合に乗客乗物車両１００がその上を往来することができるインフラとして設けることができる。従って、トラック９８は、乗物車両１００の動きを規定することができる。しかしながら、他の実施形態において、例えば、トラック９８は、乗物車両１００の動きをトラック９８以外の電子システム、磁気システム、又は他の類似のシステムインフラで制御することができる、制御された経路に置き換えることができる。換言すると、乗物車両１００の乗物経路は、厳密な経路に物理的に拘束されない場合があり、この結果、乗客１０２、１０４、１０６、１０８は、例えば、その移動経路上である程度の統制度で景色を眺めることができる。乗客乗物車両１００は４−乗客車両として示すこことができるが、別の実施形態において、乗客乗物車両１００は、一人又は複数の乗客に対応するために任意数の乗客スペース（例えば、１、２、４、８、１０、２０、又はそれ以上のスペース）を含むことができることを理解されたい。
【００３９】
乗物車両１００がトラック９８に沿って移動する際に、乗物乗客１０２、１０４、１０６、１０８は、絶叫マシン９２の周り又はその近くのエリア内の景色（例えば、施設９４、追加のアミューズメントアトラクション９６など）の移動ツアーを行うことができる。例えば、これは、絶叫マシン９２を取り囲む環境（例えば、絶叫マシン９２を完全に又は部分的に囲む建物）を含むことができる。乗物乗客１０２、１０４、１０６、１０８は、絶叫マシン９２が非常に楽しい体験であることを見出すことができるが、その乗物体験を強化することは有用であろう。詳細には、遊園地９０の中の施設９４（例えば、娯楽エリア、ホテル、レストラン、土産物店など）、追加のアミューズメントアトラクション９６（例えば、観覧車又は他のアトラクション）、又は他の常連客又は歩行者だけの物理的視界を有する代わりに、乗物乗客１０２、１０４、１０６、１０８に拡張現実（ＡＲ）体験又は仮想現実（ＶＲ）体験を提供することは有用であろう。
【００４０】
追加的に又は代替的に、乗物乗客１０２、１０４、１０６、１０８に可視化装置１４を用いて１又は２以上の画像（例えば、現実世界画像２２及び／又はＡＲ／ＶＲ画像２４）又は現実世界特徴部に関連し得るテキスト２５を提供することは有用であろう。これは、乗物車両１００がトラック９８に沿って移動する又は所定のエリアの中を移動する間に行うことができる。１つの実施形態において、これは、遊園地常連客がエリア（施設９４又はアミューズメントアトラクション９６など）を楽しむ際に行うことができる。例えば、ＡＲ／ＶＲ２４及び／又は適切なテキスト２５は、ユーザ１２が、レストラン、各アトラクション間の経路などで追加の娯楽特徴(entertainment features)を体験できるよう、電子眼鏡１６によって現実世界環境上に重ね合わせることができる。
【００４１】
さらに、一実施形態において、絶叫マシン９２は、ＡＲ／ＶＲ画像２４とのユーザ相互作用、例えば、乗物車両１００が仮想物体１０９、１１０のそばを通る又は通過する際の第１の仮想物体１０９（例えば、星）及び第２の仮想物体１１０（例えば、アニメ動物）とのシミュレートされた相互作用を含むことができる。乗物車両１００は、ユーザ制御とすることができ、ゲームの１つの態様は、乗物車両１００を仮想物体１０９、１１０に向かって案内することで様々な仮想物体１０９、１１０と相互作用すること、又はこれらから離れて舵取りすることで、特定の仮想物体１０９、１１０との衝突を回避することである。シミュレートされた相互作用は、仮想物体１０９、１１０が、コンピュータグラフィックス生成システム４０に格納された特定の予め設定された又はモデル化された応答に従って影響されるようにすることができる。一実施例として、予め設定された又はモデル化された応答は、コンピュータグラフィックス生成システム４０によって実行された物理エンジン又は類似のモジュールによって実行することができる。
【００４２】
さらに、一実施形態において、仮想物体１０９、１１０は、コンピュータグラフィックス生成システム４０で生成して可視化装置１４のディスプレイ３０、３２上に表示することができる。詳細には、仮想物体１０９、１１０は、乗客１０２、１０４、１０６、１０８の現実世界知覚上に重ね合わせることができる。実際には、第１の仮想物体１０９は、星の静止描写とすることができ、第２の仮想物体は、鳥の移動（例えば、動的）描写とすることができる。すなわち、１つの実施形態において、第１の仮想物体１０９（例えば、星）は、環境の他の物体に対して静止したままであり、第２の仮想物体１１０（例えば、鳥）は、環境内の他の物体に対して動くことができる。例えば、現実世界画像２２及び他のＡＲ／ＶＲ画像２４（図１）を組み合わせたものを含む環境２０に関して、第１の仮想物体１０９は現実世界画像２２に対して静止したままであり（例えば、トラック９８の現実世界画像２２に対して静止する）、一方で第２の仮想物体１１０は、現実世界画像２２に対して移動する。
【００４３】
さらに、コンピュータグラフィックス生成システム４０は、可視化装置１４を装着する各乗客１０２、１０４、１０６、１０８に関する注視方向１１２（例えば、乗客が目をやる方向に整列して同一線上の軸線）を決定することができる。１つの実施形態において、センサ３７（図１）は、注視方向１１２を決定するために瞳孔の位置、焦点距離、及び／又は可視化装置１４の方位を表すデータを（例えば、実時間で又はほぼ実時間で）取り込むことができる。注視方向１１２は、何らかの様々な視線追跡装置及びアルゴリズムで決定することができることを理解されたい。注視方向１１２の決定後、コンピュータグラフィックス生成システム４０は、テキスト２５を含める平面１１４を決定する。具体的には、１つの実施形態において、平面１１４は、決定した注視方向１１２に実質的に直交して配向される。従って、テキスト２５は、平面１１４上に位置することができるので、テキスト２５は、注視方向１１２に沿って乗客に面して配向され、それによって判読可能なテキスト２５がもたらされる。
【００４４】
１つの実施形態において、注視方向１１２は、テキスト２５をカスタマイズするために利用することができるテキスト特性を決定するために用いることができる。例えば、コンピュータグラフィックス生成システム４０は、乗客１０４の注視方向１１２が第２の仮想物体１１０に向いていることを決定することができる。乗客１０４の注視方向１１２が第２の仮想物体１１０に向いているとの決定に応答して、コンピュータグラフィックス生成システム４０は、第２の仮想物体１１０に関連するテキスト２５を表示することができる。具体的には、テキスト２５は、吹き出し（例えば、第２の仮想物体１１０によって話されたナレーションに合う(match)言葉を含む）、第２の仮想物体１１０に関する情報を提供する図表（例えば、鳥の種類、鳥の最高速度、世界のどの地域が鳥の原産か）などを含むことができる。
【００４５】
図５は、図示の可視化装置１４を装着するユーザ（例えば、図４の乗客１０２、１０６）に見える環境２０の視界であり、テキスト２５は、環境２０の上に重ね合わされている。環境２０は、絶叫マシン９２、施設９４、乗客１０４、１０８、及び追加のアミューズメントアトラクション９６の画像などの現実世界画像２２（図１、４）の上に重ね合わされた、第１の仮想物体１０９（例えば、星）及び第２の仮想物体１１０（例えば、アニメ動物）などのＡＲ／ＶＲ画像２４を含むことができる。上記のように、本明細書に開示された技術は、現実世界画像２２（例えば、現実世界環境の画像）ではなく、可視化装置１４の透明眼鏡を通して見える現実世界環境の上にＡＲ／ＶＲ画像２４及びテキスト２５を重ね合わせるのに適用できることを理解されたい。従って、１つの実施形態において、可視化装置１４を用いて乗客に複合現実環境を提供することができる。さらに、コンピュータグラフィックス生成システム４０（図１）は、現実世界環境の上にテキスト２５を表示する（例えば、重ね合わせる）のを助けることができる。従って、テキスト２５を重ね合わせる技術は、ＶＲ環境、ＡＲ環境、現実世界環境、複合環境などに適用できることを理解されたい。
【００４６】
１つの実施形態において、コンピュータグラフィックス生成システム４０は、実時間で又はほぼ実時間で環境データを受け取ることができる。環境データは、現実世界画像２２に関連するデータ及び／又はＡＲ／ＶＲ画像２４に関連するデータを含むことができる。詳細には、環境データは、現実世界画像２２の位置（例えば、絶叫マシン９２、施設９４、乗客１０４、１０８、及び追加のアミューズメントアトラクション９６）、及びＡＲ／ＶＲ画像２４の位置（例えば、第１及び第２の仮想物体１０９、１１０）を含むことができる。詳細には、１つの実施形態において、環境データは、環境２０上の現実世界画像２２の位置及びＡＲ／ＶＲ画像２４の位置を含むことができるので、現実世界画像２２の位置及びＡＲ／ＶＲ画像２４の位置が可視化装置１４の上に位置付けられる。
【００４７】
さらに、１つの実施形態において、環境データは、各画像に関する識別子を含むことができるので、識別子は、各画像を現実世界画像２２、ＡＲ／ＶＲ画像２４、又は重要でない画像１１８としてラベル付けする。詳細には、１つの実施形態において、識別子は、一部の現実世界画像２２を重要なものとして、及び一部の現実世界画像２２を重要でない画像１１８としてラベル付けすることができる。コンピュータグラフィックス生成システム４０は、計算を行って（例えば、１又は２以上のアルゴリズムを用いて）、画像がテーマを加えない、又はさもなければテキスト２５で覆うことができる画像又は特徴部であると決定した場合、現実世界画像２２を重要でないとラベル付けする（例えば、重要でない画像１１８）ことができる。
【００４８】
図示の実施形態において、コンピュータグラフィックス生成システム４０は、可視化装置１４上に表示されたエリアをスキャンして、可視化装置１４で見ることができる各画像又は各々のコンテンツの識別子を決定することができる。例えば、図示の実施形態において、コンピュータグラフィックス生成システム４０は、絶叫マシン９２、施設９４、及び追加の遊園地アトラクション９６を第１の識別子と関連付けることができるので、第１の識別子は、これらの画像を現実世界画像２２としてラベル付けする。コンピュータグラフィックス生成システム４０は、第１の仮想物体１０９及び第２の仮想物体１１０を第２の識別子と関連付けることができるので、第２の識別子はこれらの画像をＡＲ／ＶＲ画像２４とラベル付けする。加えて、コンピュータグラフィックス生成システム４０は、山１１９、草地２１、及び乗客１０４、１０８を第３の識別子と関連付けることができるので、第３の識別子は、これらの画像を計算に基づいて（例えば、１又は２以上のアルゴリズムを用いて）重要でない画像１１８とラベル付けする。一実施形態において、重要でない画像１１８は、例えば、背景（例えば、太陽、雲、他の乗客、及び造園）としの役割を果たすだけの、又はコンピュータグラフィックス生成システム４０によって決定されたような何らかの他の重要でない機能（又は、他の画像又は特徴部に比べて比較的重要度が低い機能）を果たすだけの、環境２０にテーマを加えない画像を含む。
【００４９】
一実施形態において、コンピュータグラフィックス生成システム４０は、可視化装置１４を通して見ることができる、第１、第２、又は第３の識別子のいずれかを有する環境２０の全てのエリアに関連することができる。しかしながら、一実施形態において、コンピュータグラフィックス生成システム４０は、本明細書に記載した技術を実行するために、いずれの識別子も使用しない、識別子の一部を使用する（例えば、第１、第２、又は第３の識別子のみ）、又は何らかの追加の識別子を使用することができることを理解されたい。
【００５０】
環境データは、さらに各現実世界画像２２及びＡＲ／ＶＲ画像２４のサイズを含むことができる。例えば、コンピュータグラフィックス生成システム４０は、可視化装置１４上の全表示エリアに対する各画像のサイズを決定することができる。換言すると、コンピュータグラフィックス生成システム４０は、各画像が占める全環境２０のどの断片（例えば、部分）が可視化装置１４によって見ることができるかを決定することができる。
【００５１】
一実施形態において、コンピュータグラフィックス生成システム４０は、適切なテキスト領域１２０の決定を容易にするために、各画像の位置、識別子、及び／又はサイズを分析することができる。詳細には、テキスト領域１２０は、テキスト２５を表示するのに適した可視化装置１４上の表示エリア上の領域を指し、テキスト２５は、可視化装置１４を装着するユーザが見ることができ、及び／又は特定の画像又は特徴部の視界を妨げないようになっている。
【００５２】
１つの実施形態において、コンピュータグラフィックス生成システム４０は、環境データを使用してテキスト領域１２０を決定することができる。１つの実施形態において、コンピュータグラフィックス生成システム４０は、少なくとも環境データに基づいてテキスト領域１２０の位置及びサイズを決定することができることを理解されたい。詳細には、コンピュータグラフィックス生成システム４０は、各画像の位置、各画像のサイズ、各画像の識別子、及び何らかの他の適切な環境データを使用して、テキスト領域１２０を決定することができる。例えば、コンピュータグラフィックス生成システム４０は、第３の識別子（例えば、重要でない画像１１８）に関連した画像の最大部分を含むエリアをテキスト領域１２０として決定することができ、その理由は、テキスト２５を当該エリアに表示すると、ユーザは、例えば、重要な画像を妨げることなくテキスト２５を見ることができるからである。
【００５３】
さらに、１つの実施形態において、コンピュータグラフィックス生成システム４０は、優先方式に基づいてテキスト領域１２０を決定することができる。優先方式は、重要レベルに応じて、受け取った、識別した、又は可視化装置１４上に表示した各々の画像をランク付けすることができる。例えば、テキスト２５（例えば、テキスト２５で記述される画像）に関連した画像は、最も高い優先順位にランク付けし、第３の識別子（例えば、重要でない画像１１８）に関連した何らかの大きな画像は、最も低い優先順位にランク付けすることができる。コンピュータグラフィックス生成システム４０は、テキスト領域１２０を可視化装置１４で見ることができる環境２０のエリア上に位置するように決定することができ、このエリアは、テキスト２５に適応する十分大きなエリアを含み、及び／又はコンピュータグラフィックス生成システム４０の優先方式に基づいて最も低い優先順位にランク付けされる。
【００５４】
さらに、１つの実施形態において、コンピュータグラフィックス生成システム４０は、可視化装置１４上に表示するためのテキスト２５のインジケーション(indication)を受け取ることができる。テキスト２５のインジケーションは、テキスト２５を表示する時間、テキスト２５の内容、及びテキスト２５に関連する画像を含むことができる。テキスト２５を表示する時間は、テキスト２５の表示を開始する時間、テキスト２５の期間、及びテキスト２５の表示を終了する時間を含むことができる。テキスト２５の内容は、サブタイトル、又は音（例えば、可聴発話）と連携する画像（例えば、現実世界画像２２又はＡＲ／ＶＲ画像２４）に関連した判読可能な発話、画像に関連した記述、画像に関連した統計値、又はテキスト２５の何らかの他の適切な内容を含むことができる。テキスト２５に関連した画像は、テキスト２５で記述された画像、テキスト２５によって伝えられるナレーションを生成する画像、又は注視方向１１２に関連した画像を含むことができる。
【００５５】
さらに、１つの実施形態において、テキスト２５のインジケーションは、ユーザ１２（例えば、乗物乗客）が行った動作に応答する可視化装置１４上のテキスト確認とすることができる。例えば、ユーザ１２がシートベルトをしっかり固定した後で、コンピュータグラフィックス生成システム４０は、この動作（例えば、シートベルトの固定）のインジケーションを受け取ることができ、これにより、コンピュータグラフィックス生成システム４０は、可視化装置１４に「固定された(SECURED)」などの確認テキスト２５を表示させる。また、確認テキストを示すデータは、品質管理目的で基地局の制御装置及び／又は遠隔オペレータに送ることもできる。例えば、乗物オペレータが装着したそれぞれの可視化装置１４上にテキスト２５を表示することにより、乗物オペレータは、ユーザのベルトが適所にロックされていることを確認するテキスト２５を受け取ることでユーザのシートベルトの状態を監視することができる。
【００５６】
１つの実施形態において、テキスト２５の提示(presentation)は、可視化装置１４を装着するユーザ１２の注視方向１１２に基づくことができる。例えば、コンピュータグラフィックス生成システム４０は、注視方向１１２（例えば、視線追跡に基づく）が第２の仮想物体１１０を向いていると決定することができ、コンピュータグラフィックス生成システム４０は、テキスト２５が注視方向１１２（例えば、第２の仮想物体１１０）に最も近い画像に関連する必要がある決定することができる。１つの実施形態において、テキスト２５は、決定（例えば、コンピュータグラフィックス生成システム４０による）に応じて表示され、その注視方向１１２は、特定の画像（例えば、第２の仮想物体１１０）に向いている。しかしながら、テキスト２５の提示は、注視方向１１２に基づく必要はなく、追加的に又は代替的に、特定のＡＲ／ＶＲ画像２４の提示（例えば、対応するテキスト２５がＡＲ／ＶＲ画像２４と共に提示される）やユーザ１２が行う動作などに応答して、乗物の動作の間のタイムスタンプ（例えば、乗物の特定の部分の間に提示された）に基づくことができることを理解されたい。
【００５７】
実際には、コンピュータグラフィックス生成システム４０は、各画像の位置、各画像のサイズ、各画像の識別子、及び／又は何らかの適切な環境データといった環境データを使用して、テキスト領域１２０の位置及びサイズを決定することができる。追加的に又は代替的に、コンピュータグラフィックス生成システム４０は、テキスト２５を表示する時間、テキスト２５の内容、及び／又はテキスト２５に関連する画像などのテキスト２５の特性を使用して、テキスト領域１２０の位置及びサイズを決定することができる。
【００５８】
例えば、図示の実施形態において、コンピュータグラフィックス生成システム４０は、各画像（例えば、可視化装置１４で見ることができる絶叫マシン９２、遊園地施設９４のモール、追加のアミューズメントアトラクション９６、第１の仮想物体１０９、第２の仮想物体１１０、山１１９、草地１２１、乗客１０４、１０８、及び／又は何らかの他の画像）のサイズ、位置、及び／又は識別子を特定することができる。図示の実施形態において、上記の何れかの技術を利用して、コンピュータグラフィックス生成システム４０は、テキスト領域１２０の位置が第２の仮想物体１１０の上方であること、及びテキスト領域１２０の寸法（例えば、サイズ）を決定することができる。例えば、テキスト領域１２０の寸法は、長さＬ１及び幅Ｌ２を含むことができる。コンピュータグラフィックス生成システム４０は、これが重要でない画像１１８（例えば、第３の識別子に関連した画像）の最大領域になるように決定するので、コンピュータグラフィックス生成システム４０は、これがテキスト領域１２０の位置及びサイズになるように決定することができる。図示の実施形態は実質的に矩形のテキスト領域１２０を含むが、テキスト領域は、何らかの適切な形状（例えば、円形、三角形、五角形）とすることができることに留意されたい。
【００５９】
１つの実施形態において、コンピュータグラフィックス生成システム４０は、これがテキスト２５に関連した画像（例えば、第２の仮想物体１１０）に最も近い領域なので、これがテキスト領域１２０の位置及びサイズになるように決定することができる。例示的な実施形態において、テキスト２５は、第２の仮想物体１１０が注視方向１１２と交わるので又はこれに最も近いので提示することができる。
【００６０】
１つの実施形態において、コンピュータグラフィックス生成システム４０は、可視化装置１４を通して見える環境２０上のどこかにテキスト２５を配置することができ、テキスト２５は、テキスト２５に関連する画像（例えば、第２の仮想物体１１０）を遮らない（例えば、妨げない）ようになっている。例えば、第２の仮想物体１１０に関連したテキスト２５は、第２の仮想物体１１０が話していること（例えば、「昔々…(Once upon a time…)」）のテキスト吹き出しを含むことができ、さらに第２の仮想物体１１０の近くに配置することができるが、第２の仮想物体１１０の視界を妨げない。
【００６１】
上述のように、テキスト２５のような追加の情報を現実世界画像２２及びＡＲ／ＶＲ画像２４を含む環境に重ね合わせることは多くの課題を提起する可能性がある。例えば、背景上に表示されたテキスト２５がその背景に溶け込まないように、テキスト２５の内容、テキスト２５を表示するための環境２０上の位置、テキスト２５の色、テキスト２５の輝度又は明度を決定することは有用な場合がある。従って、１つの実施形態において、コンピュータグラフィックス生成システム４０は、表示するのに適切なテキスト２５、環境２０上でのテキスト２５の位置、テキスト２５の色などのテキスト特性を決定することができる。
【００６２】
詳細には、コンピュータグラフィックス生成システム４０は、テキスト２５に適切な色を決定することができるので、テキスト２５は可視化装置１４を装着するユーザ１２には非常に読みやすくなる。１つの実施形態において、テキスト２５は、その内部にテキスト２５が表示されるテキストボックス１２４（例えば、テキスト吹き出し(text bubble)）を含むことができる。テキストボックス１２４は単色とすること及びテキスト２５は異なる色とすることができる。例えば、テキストボックス１２４は黒色でテキスト２５は白色とすることができる。テキストボックス１２４は省略することができ、テキスト２５は、環境２０上に提示することができ、テキスト２５は、テキスト２５が表示される環境２０の領域の色（例えば、背景色）とは実質的に異なる色とすることができることを理解されたい。例えば、テキスト２５が明るい青空の上に表示される場合、テキスト２５は、暗い色（例えば、黒色）とすることができる。しかしながら、テキスト２５が暗い壁の上に表示される場合、テキスト２５は、明るい色（例えば、白色）とすることができる。
【００６３】
追加的に又は代替的に、コンピュータグラフィックス生成システム４０は、画像（例えば、現実世界画像２２）とテキスト２５との間の適切なコントラストをもたらすために、テキスト２５の適切な輝度又は明度を決定することができる。例えば、現実世界画像２２が極めて高い太陽露出を含む場合、テキスト２５の輝度又は明度は、テキスト２５の視認性を高めるために大きくすることができる。
【００６４】
図６に進むと、時間ｔ0の瞬間での可視化装置１４を装着するユーザによって視覚化される環境２０の視界１３０が描かれている。図示のように、テキスト２５は、環境２０の上に重ね合わされる。時間ｔ0において、コンピュータグラフィックス生成システム４０は、環境データに基づいてテキスト２５を第１のテキスト領域１３２の上に表示する必要があると決定する。上述のように、コンピュータグラフィックス生成システム４０は、テキスト領域１３２の位置及びサイズに基づいてテキスト特性（例えば、テキスト２５の内容、テキスト２５の色、テキスト２５のサイズ、テキスト２５のフォント、テキスト継続時間）を決定することができる。集合的に「表示パラメータ」と呼ばれるテキスト特性、第１のテキスト領域１３２の位置及びサイズ、並びに画像（例えば、現実世界画像２２、ＡＲ／ＶＲ画像２４）の決定後、テキスト２５は、第１のテキスト領域１３２を含む環境２０の一部に重ね合わせることができる。さらに、テキスト２５は、テキストボックス１２４の上に又は直接、環境２０の上に表示することができ、テキスト２５の色はテキストボックス１２４又は環境２０の色とは異なっており、ユーザ１２には非常に読みやすくなっている。
【００６５】
１つの実施形態において、コンピュータグラフィックス生成システム４０によって、可視化装置１４は、時間ｔ0で環境２０（又はテキストボックス１２４）上にテキスト２５を表示することができる。実際には、コンピュータグラフィックス生成システム４０は、実時間で又はほぼ実時間でテキスト領域１３２、テキスト特性、又は同様のもの（例えば、表示パラメータ）を決定することができる。１つの実施形態において、テキスト２５は、注視方向１１２に基づくことができる。例えば、テキスト２５は、コンピュータグラフィックス生成システム４０が、第２の仮想物体１１０と交差する又は第２の仮想物体１１０に最も接近する方向に沿って配向された注視方向１１２を特定した場合に、第２の仮想物体１１０に関連する情報を含むことができる。具体的には、コンピュータグラフィックス生成システム４０は、時間ｔ0で注視方向１１２を決定し、その後すぐに適切なテキスト特性を含むテキスト２５を適切な場所（例えば、テキスト領域１３２）に表示することができる。１つの実施形態において、コンピュータグラフィックス生成システム４０は、テキスト２５を終了時間ｔ1まで表示することができる。持続時間（例えば、時間ｔ0と時間ｔ1との間の時間）は、予め設定されている。しかしながら、テキスト２５を表示する持続時間は、瞳孔の動き（例えば、コンピュータグラフィックス生成システム４０はユーザ１２がテキスト２５を読むのを止めたときを特定することができる）、ユーザ１２の動き、テキストで覆われた画像又は特徴部の重要度(significance)などに基づくことができることを理解されたい。
【００６６】
１つの実施形態において、テキスト２５が環境２０上に重ね合わされた後、テキスト２５は、表示持続時間の間に（例えば、時間ｔ0から始まり終了時間ｔ1で終了する）可視化装置１４上のその位置にとどまることができる。例えば、図示の実施形態において、テキスト２５は、可視化装置１４の左側部分に配置されたテキストボックス１２４上の第１のテキスト領域１３２上に表示される、本実施例において、可視化装置１４を装着するユーザ１２が他の場所を見る場合、テキスト２５は可視化装置１４の左側部分にとどまることができる。しかしながら、１つの実施形態において、可視化装置１４上のテキスト２５の位置は、可視化装置１４を装着するユーザ１２の視点の変化に基づいて動的に調整することができることを理解されたい。
【００６７】
上述のように、テキスト２５は、何らかの適切な技術に基づいて、可視化装置１４によって見ることができる環境２０上に表示することができる。例えば、テキストは、タイムスタンプに基づいて環境２０上に表示することができ、仮想物体（例えば、第２の仮想物体１１０）が会話を始めると、テキスト２５は会話している仮想物体のナレーションに合うようになっている。実際には、１つの実施形態において、テキスト２５の重ね合わせは、現実世界画像２２及び／又はＡＲ／ＶＲ画像２４のいずれかに関連した音声に連携することができる。図示の実施形態において、テキスト２５は、第２の仮想物体１１０に関連する（例えば、注視方向１１２が第２の仮想物体に向いているので）。さらに、一実施形態において、注視方向が他の画像に向いている場合、テキスト２５は、他の画像に関連することができる。
【００６８】
コンピュータグラフィックス生成システム４０がテキスト２５の表示を終了した後（例えば、コンピュータグラフィックス生成システム４０が、テキスト２５の表示持続時間が終了時間ｔ1に到達したと決定した後）、コンピュータグラフィックス生成システム４０は、テキスト２５が環境２０から除去されるようにすることができる。
【００６９】
図７に進むと、他の時間ｔnの瞬間での可視化装置１４を装着するユーザによって視覚化される環境の視界１４０が描かれている。図示のように、テキスト２５は、環境２０の上に重ね合わされる。１つの実施形態において、図６の第１の視界に表示されたテキスト２５の表示が終了した後（例えば、終了時間ｔ1に到達したため、ユーザ１２が視点方向を変えたためなど）、コンピュータグラフィックス生成システム４０は、他の開始時間ｔ0まで待つことができ、従って、コンピュータグラフィックス生成システム４０は、テキスト領域及びテキスト特性などの表示パラメータを決定するために上述の技術を実行することができる。
【００７０】
詳細には、時間ｔnにおいて、コンピュータグラフィックス生成システム４０は、環境データに基づいて第２のテキスト領域１４２にテキスト２５を表示する必要があることを決定することができる。加えて、コンピュータグラフィックス生成システム４０は、時間ｔnでの第２のテキスト領域１４２の位置及びサイズを決定することもできる。上述のように、コンピュータグラフィックス生成システム４０は、時間ｔnでのテキスト特性（例えば、テキスト２５の内容、テキスト２５の色、テキスト２５のサイズ、テキスト２５のフォント）を決定することができる。一実施形態において、第２のテキスト領域１４２上に表示されたテキスト２５のテキスト特性は、図６の第１のテキスト領域１３２上に表示されたテキスト２５のものとは異なる場合がある。図示の実施形態において、テキスト２５は、例えば、コンピュータグラフィックス生成システム４０によって注視方向１１２が追加のアミューズメントアトラクション９６に向いていることが特定されるので、追加のアミューズメントアトラクション９６に関することができる。
【００７１】
第２のテキスト領域１４２のテキスト特性並びに位置及びサイズの決定後、テキスト２５は、第２のテキスト領域１４２を含む環境２０の一部に重ね合わせることができる。さらに、テキスト２５は、テキストボックス１２４上に又は直接、環境２０上に表示することができ、テキスト２５の色はテキストボックス１２４又は環境２０の色とは異なっており、ユーザ１２には非常に読みやすくなっている。環境２０上へのテキスト２５の表示は、乗車期間中に継続的に更新することができるので、テキスト情報(textual information)、並びにテキスト領域の位置及びサイズは、新しいテキスト２５が表示される場合に決定される（例えば、タイムスタンプ、注視方向１１２、絶叫マシン９２の特徴などに連携して）。
【００７２】
図８は、一実施形態による、可視化装置１４（図１−７）を通して見ることができる環境２０（図４−７）上にテキスト２５（図１、４−７）を重ね合わせることで、強化された体験をもたらすために使用することができるプロセス２００のフローチャートである。具体的には、１つの実施形態において、コンピュータグラフィックス生成装置４０（図１−４）は、実時間で又はほぼ実時間で取り込んだ環境データを受け取って分析する（プロセスブロック２１０）。上述のように、環境データは、現実世界画像２２（図１、４）に関連するデータ、ＡＲ／ＶＲ画像２４（図１−４）に関連するデータ、可視化装置１４によって見ることができる環境２０内の各画像に関する識別子、可視化装置１４によって見ることができる環境２０内の各画像に関するサイズ及び位置などを含むことができる。コンピュータグラフィックス生成システム４０は、現実世界画像２２及びＡＲ／ＶＲ画像２４を含むことができる環境２０を生成することができる（プロセスブロック２２０）。一実施形態において、コンピュータグラフィックス生成システム４０は、テキスト２５の内容（例えば、テキスト２５に含まれる言葉及び文字）などのテキスト情報にアクセスすることができる（プロセスブロック２３０）。次に、コンピュータグラフィックス生成システム４０は、テキスト２５に関する表示パラメータを決定することができ（プロセスブロック２４０）、コンピュータグラフィックス生成システム４０は、適切なテキスト領域１２０で、環境２０上にテキスト２５（テキスト特性（例えば、内容、色、サイズ、フォント）を含むよう変更された）を提示する（プロセスブロック２５０）。実際には、可視化装置１４は、可視化装置１４を装着するユーザ１２に環境２０上に重ね合わされたテキスト２５を提供することができる。
【００７３】
１つの実施形態において、コンピュータグラフィックス生成システム４０は、可視化装置１４に通信可能に接続される。コンピュータグラフィックス生成システム４０は、可視化装置１４から、例えばカメラ３４、３６（図１）及び／又はセンサ３７（図１）から環境データを受け取ることができる。上述のように、コンピュータグラフィックス生成システム４０が受け取った環境データは（プロセスブロック２１０）、現実世界画像２２に関連するデータを含むことができ、このデータは全表示面（例えば、ディスプレイ３０、３２（図１））のサイズに対する可視化装置１４上に表示された各現実世界画像２２のサイズ及び位置を含むことができる。加えて、環境データは、ＡＲ／ＶＲ画像２４に関連するデータを含むことができ、このデータは、全表示面のサイズに対する可視化装置１４上に表示された各特定された現実世界画像２２のサイズ及び位置を含むことができる。さらに、環境データは、各画像（例えば、現実世界画像２２及びＡＲ／ＶＲ画像２４）に関する識別子を含むことができる。１つの実施形態において、コンピュータグラフィックス生成システム４０は、各画像に識別子を割り当てることができる。例えば、第１の識別子は、コンピュータグラフィックス生成システム４０によってある画像に割り当てることができ、この識別子はこの画像を現実世界画像２２とラベル付けする。さらに、第２の識別子は、他の画像に割り当てることができ、この識別子はこの画像をＡＲ／ＶＲ画像２４とラベル付けする。追加的に又は代替的に、第３の識別子は、他の画像に割り当てることができ、この識別子はこの画像を重要でない画像１１８とラベル付けする。
【００７４】
コンピュータグラフィックス生成システム４０は、環境データを分析して環境２０を生成することができる（プロセスブロック２２０）。１つの実施形態において、環境２０は、現実世界画像２２及びＡＲ／ＶＲ画像２４を含むことができ、これらは組み合わされて環境２０を生成する。上述のように、環境２０は、ユーザ１２の注視方向１１２（図４−６）に基づいて更新することができる。
【００７５】
環境２０の生成後、コンピュータグラフィックス生成システム４０は、テキスト２５にアクセスする(access)（プロセスブロック２３０）。１つの実施形態において、テキスト２５は、コンピュータグラフィックス生成システム４０のメモリ４６（図１）に格納された、予め設定された内容（例えば、記号及び文字）とすることができる。実際には、コンピュータグラフィックス生成システム４０は、環境データに基づいてテキスト内容（例えば、テキストが含む言葉及び文字）にアクセスすることができる。例えば、環境データは、会話する仮想物体のＡＲ／ＶＲ画像２４とすることができ、アクセスされるテキスト２５は、会話する仮想物体の口頭ナレーションに合うように連携するテキスト２５を含む。
【００７６】
テキスト２５にアクセスした後、コンピュータグラフィックス生成システム４０は、上記に詳細に説明したように、表示パラメータを決定することができる（プロセスブロック２４０）。表示パラメータは、可視化装置１４によって見ることができるテキスト２５のテキスト特性、テキスト領域１２０（図５）の位置及びサイズ、及び画像を含むことができる。より詳細には、テキスト特性は、コンピュータグラフィックス生成システム４０がアクセスするテキスト内容、テキスト２５の色、テキスト２５のサイズ、テキスト２５のフォント、テキスト２５の輝度又は明度、及びテキスト持続時間を含む。さらに表示パラメータは、テキスト２５の適切な提示を決定するために使用することができ、テキスト２５は、環境２０上に重ね合わされた際に非常に読みやすくなり、テキスト２５は、可視化装置１４によって見ることができる重要な内容（例えば、画像）を妨げない。
【００７７】
適切な表示パラメータ（例えば、テキスト特性、テキスト領域のサイズ及び位置、及びテキスト内容）を決定した後、テキスト２５は、環境２０上に重ね合わされる。すなわち、一実施形態において、テキスト２５は、環境２０の最も重要でない画像１１８（図５）の領域上に配置することができる。実際には、可視化装置１４は、遊園地体験をさらに強化するために、可視化装置１４を装着するユーザ１２に対して環境２０上に重ね合わされたテキスト２５を提示することができる
【００７８】
本明細書に示して特許請求する技術は、本技術分野を確実に改善する、従って抽象的なもの、無形のもの又は純粋に理論的なものではない実際的性質の有形物及び具体例を参照し、これらに適用される。さらに、本明細書の最後に添付するいずれかの請求項が、「．．．［機能］を［実行］する手段」又は「．．．［機能］を［実行］するステップ」として指定されている１又は２以上の要素を含む場合、このような要素は米国特許法１１２条（ｆ）に従って解釈すべきである。一方で、他のいずれかの形で指定された要素を含むあらゆる請求項については、このような要素を米国特許法１１２条（ｆ）に従って解釈すべきではない。
【００７９】
本発明の開示のある一定の特徴のみを本明細書に図示して説明したが、当業者には多くの修正及び変更が想起されるであろう。従って、添付の特許請求の範囲は、全てのそのような修正及び変更を本発明の開示の真の精神に該当するとして網羅するように意図していることを理解されたい。さらに、開示された実施形態の特定の各要素は、互いに組み合わせること又は交換することができることを理解されたい。
【図１】
2021509612.tif 000003
【図２】
2021509612.tif 000004
【図３】
2021509612.tif 000005
【図４】
2021509612.tif 000006
【図５】
2021509612.tif 000007
【図６】
2021509612.tif 000008
【図７】
2021509612.tif 000009
【図８】
2021509612.tif 000010
【国際調査報告】
2021509612.tif 000011
2021509612.tif 000012